(57)【要約】  毛髪用美容剤適用デバイス（１）が閉状態にあるときに重ねられた関係で位置決め可能な第１のプレート（１０）と第２のプレート（２０）とを含む毛髪用美容剤適用デバイス（１）が、本明細書に提供される。毛髪用美容剤適用デバイス（１）は流体収容手段（４０）を有することを特徴とし、この流体収容手段（４０）は、前記第１のプレート（１０）の内表面（１０１）から上方に延出して、前記流体収容手段（４０）の内表面（４０１）及び外表面（４０２）を提供し、これにより、前記流体収容手段（４０）の前記内表面（４０１）と前記第１のプレート（１０）の前記内表面（１０１）とが、毛髪用美容組成物を収容するための流体収容領域（１０４）を画定する。毛髪用美容剤適用デバイス（１）は、前記第２のプレート（２０）の内表面（２０１）から上方に延出する流体制御手段（５０）を含む。前記第２のプレート（２０）の流体制御手段（５０）は、前記毛髪用美容剤適用デバイス（１）が閉状態にあるときに、前記第１のプレート（１０）の前記流体収容手段（４０）を包囲する。
2012506294.tif 000002
【特許請求の範囲】
【請求項１】
毛髪用美容剤適用デバイス（１）であって、前記毛髪用美容剤適用デバイス（１）が閉状態にあるときに重ねられた関係で位置決め可能な第１のプレート（１０）と第２のプレート（２０）とを含み、前記第１のプレート（１０）及び前記第２のプレート（２０）は連結部（３０）によって連結され、前記第１のプレート（１０）及び前記第２のプレート（２０）はそれぞれ内表面（１０１、２０１）と外表面（１０２、２０２）とを有し、前記第１のプレート（１０）及び前記第２のプレート（２０）はそれぞれ周縁部（１０３、２０３）を有する、毛髪用美容剤適用デバイス（１）において、
前記デバイス（１）が、
ａ．流体収容手段（４０）であって、前記第１のプレート（１０）の前記内表面（１０１）から上方に延出して、前記流体収容手段（４０）の内表面（４０１）及び外表面（４０２）を提供し、これにより、前記流体収容手段（４０）の前記内表面と前記第１のプレート（１０）の前記内表面（１０１）とが、毛髪用美容組成物をその中に収容するための流体収容領域（１０４）を画定する、流体収容手段（４０）と、
ｂ．前記第２のプレート（２０）の前記内表面（２０１）から上方に延出する流体制御手段（５０）と、を更に含み、
前記毛髪用美容剤適用デバイス（１）が閉状態にあるときに、前記第２のプレート（２０）の前記流体制御手段（５０）が、前記第１のプレート（１０）の前記流体収容手段（４０）を包囲することを特徴とする、デバイス。
【請求項２】
前記流体収容手段（４０）及び前記流体制御手段（５０）が、個々に、多孔質の圧縮性材料、多孔質の非圧縮性材料、非多孔質の圧縮性材料、非多孔質の非圧縮性材料、櫛状歯部、刷毛、及びこれらの組み合わせからなる群から選択される材料を含む、請求項１に記載のデバイス（１）。
【請求項３】
前記流体収容手段（４０）が、櫛状歯部、刷毛、若しくは歯状部、又はこれらの混合体を含む、請求項２に記載のデバイス。
【請求項４】
前記流体制御手段（５０）が、多孔質の圧縮性材料の連続帯状体である、請求項２に記載のデバイス。
【請求項５】
前記流体制御手段（５０）が、前記適用デバイス（１）が閉状態のときに前記流体収容手段（４０）に面する内側部と、外側部（５５）とを含み、前記流体制御手段（５０）の前記外側部（５５）が不浸透性膜を含む、請求項１〜４のいずれか一項に記載のデバイス（１）。
【請求項６】
前記流体収容手段（４０）の前記内表面及び／又は前記外表面が、実質的に連続している、請求項１〜５のいずれか一項に記載のデバイス（１）。
【請求項７】
前記流体制御手段（５０）が、前記第１のプレート（１０）の前記周縁部（１０３）に沿って延びる、請求項１〜６のいずれか一項に記載のデバイス（１）。
【請求項８】
前記流体収容手段（４０）が、前記デバイス（１）が閉状態にあるときに前記流体制御手段（５０）に実質的に隣接する、請求項１〜７のいずれか一項に記載のデバイス（１）。
【請求項９】
前記第１のプレート（１０）の少なくとも一部分、好ましくは前記流体収容領域（１０４）が配置される部分が、前記第１のプレート（１０）内に形成された窪み、より好ましくは凹面状の窪みを含む、請求項１〜８のいずれか一項に記載のデバイス（１）。
【請求項１０】
前記連結部（３０）がヒンジである、請求項１〜９のいずれか一項に記載のデバイス（１）。
【請求項１１】
請求項１〜１０のいずれか一項に記載のデバイス（１）を、少なくとも１つの毛髪用美容組成物で充填することと、次に毛髪を前記毛髪用美容剤適用デバイス（１）と接触させることと、を含む、毛髪を処理する方法。
【請求項１２】
前記少なくとも１つの毛髪用美容組成物が第１の毛髪用美容組成物と第２の毛髪用美容組成物とを含み、前記第１の毛髪用美容組成物が酸化剤を含み、前記第２の毛髪用美容組成物がアルカリ化剤と過硫酸塩とを含み、前記第１の毛髪用美容組成物と前記第２の毛髪用美容組成物とが混合されて第３の毛髪用美容組成物を形成し、前記第３の毛髪用美容組成物が、毛髪を前記毛髪用美容剤適用デバイス（１）と接触させる前に前記毛髪用美容剤適用デバイス（１）に充填される、請求項１１に記載の方法。
【請求項１３】
前記第１のプレート（１０）及び前記第２のプレート（２０）が、毛髪を前記毛髪用美容剤適用デバイス（１）と接触させる前に、１回、好ましくは２回、より好ましくは３回以上重ねられた関係におかれる、請求項１１又は１２に記載の方法。
【請求項１４】
請求項１〜１０のいずれか一項に記載の毛髪用美容剤適用デバイス（１）を少なくとも１つ含む、部品キット。
【請求項１５】
前記キットが、少なくとも、酸化剤を含む個別に包装された毛髪用美容組成物と、アルカリ化剤及び過硫酸塩を含む個別に包装された毛髪用美容組成物と、を含む、請求項１４に記載の部品キット。
【請求項１６】
前記キットが、前記個別に包装された毛髪用美容組成物を前記毛髪用美容剤適用デバイス（１）の中に混合する及び／又は充填するための手段を更に含む、請求項１４又は１５に記載の部品キット。
【請求項１７】
前記キットが、前記毛髪用美容剤適用デバイス（１）を充填する及び／又は使用する方法を示す消費者のための説明書を更に含む、請求項１４〜１６のいずれか一項に記載の部品キット。
【発明の詳細な説明】
【技術分野】
【０００１】
本発明は、毛髪などの様々な基材への化粧品組成物の、容易で、正確で、穏やかで、扱いにくくない（non-messy）、目標をしぼった適用を可能にする毛髪用美容剤適用デバイスに関する。本発明による適用デバイスは、特に、毛髪用美容組成物を対象とする。
【背景技術】
【０００２】
ファッション及びスタイルの変化に対応するため、及び初めての白髪を隠すために、毛髪の色又はスタイルを変化させることを望む消費者が益々増加している。特に、より自然に見える効果を作り出すために、毛髪の全てではなく、選択された毛髪ストランドに処理を実施するのを望む消費者が多い。例えば、消費者は、スタイリング組成物、着色組成物、又は漂白組成物を選択された毛髪ストランドに提供して、毛髪ストランド効果を実現することができる。このような組成物の例及び視覚的効果は、毛髪のハイライト処理プロセスであり、選択された毛髪ストランドは、残りの毛髪よりも少なくとも１シェード明るくなる。最終的な見た目の個人的カスタム化を達成するには、消費者は、家庭用のハイライト処理キットを用いてハイライト処理を実施することを選択することもできるし、又は専門のスタイリストを訪ねてもよい。
【０００３】
専門家は、自由に使える多数の装置及び手法を有しており、これらは、訓練及び数年間の経験と共に、消費者が期待する様々な結果の実現を可能にする。しかしながら、プロセスの正確さ及び長さの故に、消費者は、プロセスを完結するためにサロンで定期的に多くの時間を過ごす必要がある。また、期待される最終結果を実現するのに専門家が費やす長い時間及び労力の故に、スタイリスト専門家は、そのサービスに対して高い報酬を要求する。
【０００４】
家庭用ハイライト処理製品市場は、巨大で、消費者が経済的に利用しやすく、毛髪にブリーチ処理を実用的に施すための様々な製品を提供する。しかし、専門家の助けなしに家庭用毛髪ハイライト処理を使用することには、いくつもの欠点が随伴しており、これらの問題に対処しようとするいくつかの試みが、当該技術分野で知られている。
【０００５】
異なる材料の多数の層と、化粧品組成物を供給することのできるスポンジとから構成される適用物品が、一般に知られている。また、そのような適用物品とデバイス若しくはツールとの組み合わせも知られている。一例は、毛髪用美容組成物を収める円筒形リザーバを含むアプリケータであり、前記リザーバは、弾性変形可能な材料がそこに格納される横の開口部を有する。その開口部を通じて、毛髪ストランドは、リザーバ内に収容された組成物と連通する。他の例は、アプリケータ部分と留め具手段とを含むアプリケータである。アプリケータ部分は、毛髪用美容組成物がそこに詰められる（lodged）弾性圧縮可能な容器を含む。ユーザーは、１本の指と容器との間に毛髪ストランドを位置決めする。圧縮可能な容器を加圧すると、その中に収容された組成物が毛髪ストランドの上に放出される。他の例としては、それぞれが毛髪用美容組成物を含む袋を備える２枚のヒンジプレートを有する毛髪化粧品アプリケータが挙げられる。また、吸収性材料で覆われた連動するヒンジ連結された２枚のプレートを含むアプリケータも既知であり、専門のサロンでスタイリストによって使用されるホイルの代わりとして機能する。
【０００６】
ストランド効果組成物の自己適用が困難であり、不適切な適用デバイスによって実施される場合、自己適用が更に困難になることが一般に知られている。毛髪用美容組成物の自己適用を容易にすることのできるアプリケータデバイスは、清潔及び整然とした方式で期待されるハイライト処理の仕上がりを達成するために、いくつかの技術的課題を考慮し、対処する必要がある。
【０００７】
まず第１に、後頭部での毛髪用美容組成物の適用は、ユーザーが鏡像で判断することによって毛髪ストランドを選択する必要があるので、複雑である。ストランドの選択及びそれに続く適用が複雑であればあるほど、ユーザーが自身の腕を自身の頭の上で維持せざるを得ない時間が長くなり、不快感を引き起こし、全体的な結果に影響を与える。
【０００８】
更に、毛髪ストランド効果の自己適用のためのアプリケータは、適用期間中、アプリケータからの毛髪組成物の漏出及び滲出を防ぐように設計されるべきである。ハイライト処理組成物などの一部の毛髪ストランド効果組成物の好ましくない性質が、かかる組成物が消費者の家の表面及び衣服の上に滴り落ちた場合に、それらを台無しにするおそれがある。しかし、漏出及び滲出は、清潔さの目的だけで望ましくないわけではなく、正確で、清潔で、ファッショナブルな適用を可能にするためにも望ましくない。
【０００９】
毛髪ストランド効果組成物が期待される最終結果を達成するためには、組成物が望まれる場所に正確に適用される必要がある。アプリケータの縁部のところの少量の毛髪組成物でさえ、選択された毛髪ストランドから選択されていない毛髪ストランドへと容易に移動して、所望のパターンを台無しにするおそれがあり、やはり予想外の結果をもたらすことがある。この問題は根元ライン（root-line）でも生じるおそれがあり、毛髪の根元のランダムなより明るいパッチは、予期せぬ望ましくない最終的な全体の外観をもたらす可能性がある。
【００１０】
最後に、毛髪用美容組成物用のアプリケータは使用が容易でなければならず、どれくらいの毛髪用美容組成物及びどこに装着するかなどの問題であらゆる特別な経験及び訓練を必要とすべきではない。アプリケータの充填が複雑になればなるほど、ユーザーはアプリケータ、特にハイライト処理組成物、染色組成物及びパーマ効果を付与するパーマ組成物などの毛髪用美容組成物用のアプリケータを使用する際に不快感を感じるであろう。
【発明の概要】
【発明が解決しようとする課題】
【００１１】
したがって、依然として未解決のままであるのは、アプリケータからの組成物の漏れの回避、及び片手で使用して、持ち上げ、把持し、保持し、後方に下ろす（lay down）容易さの観点から、家庭用毛髪ストランド効果の消費者ニーズを満たすための、毛髪用美容剤アプリケータの提供である。更に、アプリケータは、特に根元ラインのところで毛髪の間を導き、毛髪の長さにかかわらず複数回適用するのが容易であるべきである。アプリケータは、多種多様なハイライト及び新しいファッションを生み出し、時間を短縮し、ハイライトプロセスを単純化するのを目的とした柔軟性を提供すべきである。最後に、アプリケータは、確かに、軽量で、安価で、使い捨て又は再利用可能で、生産が容易であるべきである。
【００１２】
毛髪用美容剤適用デバイス（以下で定義する）が、家庭でも専門のサロンでもハイライト処理結果を飛躍的に改善できることが今や判明している。
【課題を解決するための手段】
【００１３】
本発明によると、毛髪用美容剤適用デバイス（１）が提供され、前記デバイス（１）は、前記毛髪用美容剤適用デバイス（１）が閉状態にあるときに重ねられた関係で位置決め可能な第１のプレート（１０）と第２のプレート（２０）とを含み、前記第１のプレート（１０）及び第２のプレート（２０）は連結部（３０）によって連結され、前記第１のプレート（１０）及び第２のプレート（２０）はそれぞれ内表面（１０１、２０１）と外表面（１０２、２０２）とを有し、前記第１のプレート（１０）及び第２のプレート（２０）はそれぞれ周縁部（１０３、２０３）を有し、前記デバイス（１）は、
ａ．前記第１のプレート（１０）の前記内表面（１０１）から上方に延出して、前記流体収容手段（４０）の内表面（４０１）及び外表面（４０２）を提供し、これにより、前記流体収容手段（４０）の前記内表面（４０１）と前記第１のプレート（１０）の前記内表面（１０１）とが、毛髪用美容組成物を収容するための流体収容領域（１０４）を画定する、流体収容手段（４０）と、
ｂ．前記第２のプレート（２０）の内表面（２０１）から上方に延出する流体制御手段（５０）と、を更に含み、
前記毛髪用美容剤適用デバイス（１）が閉状態にあるときに、前記第２のプレート（２０）の前記流体制御手段（５０）が、前記第１のプレート（１０）の前記流体収容手段（４０）を包囲することを特徴とする。
【００１４】
本発明は更に、毛髪を前記毛髪用美容剤適用デバイス（１）で毛髪を処理する方法、及び前記毛髪用美容剤適用デバイス（１）を含む部品キットに関する。
【図面の簡単な説明】
【００１５】
【図１】本発明による毛髪用美容剤適用デバイス（１）の一実施形態の斜視図。毛髪用美容剤適用デバイス（１）は、連結部（３０）によって連結された第１のプレート（１０）と第２のプレート（２０）とを含む。各プレート（１０、２０）は、内表面（１０１、２０１）及び外表面（１０２、２０２）と、周縁部（１０３、２０３）とを有する。第１のプレート（１０）は、内表面（１０１）上に流体収容手段（４０）を有し、流体収容手段（４０）は前記第１のプレート（１０）の前記内表面（１０１）から上方に延出して、前記流体収容手段（４０）の内表面（４０１）及び外表面（４０２）を提供し、前記流体収容手段（４０）の前記内表面（４０１）と前記第１のプレート（１０）の前記内表面（１０１）とで流体収容領域（１０４）を画定している。第２のプレート（２０）は、内表面（２０１）上に流体制御手段（５０）を有している。この実施形態の流体収容手段（４０）及び流体制御手段（５０）は、材料の連続帯状体であることを特徴とする。前記流体制御手段（５０）の外側部（５５）は不浸透性膜を含む。
【図２】本発明による毛髪用美容剤適用デバイス（１）の一実施形態の斜視図。毛髪用美容剤適用デバイス（１）は、連結部（３０）によって連結された第１のプレート（１０）と第２のプレート（２０）とを含む。この実施形態の流体収容手段（４０）及び流体制御手段（５０）は、材料の連続帯状体であることを特徴とする。流体制御手段（５０）は、前記第２のプレート（２０）の周縁部（２０３）で延出している。
【図３】本発明による毛髪用美容剤適用デバイス（１）の一実施形態の斜視図。毛髪用美容剤適用デバイス（１）は、連結部（３０）によって連結された第１のプレート（１０）と第２のプレート（２０）とを有する。この実施形態の流体制御手段（５０）は、材料の連続帯状体であることを特徴とし、流体収容手段（４０）は、前記第１のプレート（１０）の内表面（１０１）上に環状に分布した一群の櫛状歯部であることを特徴とする。櫛状歯部の前記環状分布は、前記内表面（１０１）上の流体収容領域（１０４）を画定している。
【図４】本発明による毛髪用美容剤適用デバイス（１）の一実施形態の斜視図。毛髪用美容剤適用デバイス（１）は、連結部（３０）によって連結された第１のプレート（１０）と第２のプレート（２０）とを有する。この実施形態の流体制御手段（５０）は、第２のプレート（２０）の周縁部（２０３）に編成された刷毛の束を含んで環を形成しているのを特徴とし、流体収容手段（４０）は、不連続であることを特徴とし、一緒に外周を形成している材料の複数の個別の弧によってもたらされている。前記外周は、前記第１のプレート（１０）の内表面（１０１）上に流体収容領域（１０４）を限定している。
【図５】本発明による毛髪用美容剤適用デバイス（１）の一実施形態の断面図。毛髪用美容剤適用デバイス（１）は、連結部（３０）によって連結された第１のプレート（１０）と第２のプレート（２０）とを有する流体制御手段（５０）は、前記第２のプレート（２０）の周縁部（２０３）で延出している。この実施形態の流体収容手段（４０）及び流体制御手段（５０）は、材料の連続帯状体であることを特徴とする。前記第１のプレート（１０）の流体収容領域（１０４）が配置されている部分は、前記第１のプレート（１０）内に形成された凹面状の窪み又は空洞を含む。
【発明を実施するための形態】
【００１６】
本発明は、本明細書に記載の流体収容手段（４０）及び流体制御手段（５０）が、上記技術的問題を解決するために本発明の範囲内で選択された特定の相互関係に組み合わされたときにそれらが有する、相乗関係及び接合による貢献を特徴とする。
【００１７】
期待される技術的効果を達成するために、毛髪用美容剤適用デバイス（１）は、ユーザーが、後頭部又は頭皮に近い毛髪などの届きにくい区域を含む処理されるべき毛髪部分に、片手を用いて正確及び容易に毛髪用美容剤適用デバイス（１）を誘導できるようにするために、連結部（３０）によって連結される第１のプレート（１０）と第２のプレート（２０）とを備える。流体収容手段（４０）は、前記第１のプレート（１０）の内表面（１０１）上に、アプリケータデバイス（１）に毛髪用美容組成物を充填すべき場所の印を提供する流体収容領域（１０４）を画定する。前記第１のプレート（１０）及び第２のプレート（２０）を連結部（３０）を中心に旋回させることによりこれらが重ねられた関係になると、流体収容手段（４０）を包囲する流体制御手段（５０）は、毛髪用美容組成物の小塊及び滴の形成を防止し、毛髪用美容組成物を毛髪に適用する間にその小塊及び滴が過剰に付着するのを防止するのを助ける。
【００１８】
これらの全ての特徴の組み合わせは、均質で、扱いにくくなく、清潔な方式での、選択された毛髪ストランドへの毛髪用美容組成物の供給を可能にする。
【００１９】
本発明の目的では、用語「毛髪」は、生きている毛髪、即ち、生物上の毛髪と、生きていない毛髪、即ち、かつら、ヘアピース、又は生きていないケラチン繊維の他の集合体との両方を指す。哺乳類、好ましくはヒトの毛髪が意図される。
【００２０】
用語「毛髪ストランド」は、少なくとも２つのケラチン繊維、特に毛髪、具体的にはヒトの毛髪を指し、毛髪の束として解釈されるべきである。
【００２１】
本明細書で使用するとき、用語「適用」、「適応」、「コーティング」、「充填」、「吸収」、「吸着」及び「付着」は全て、本発明による毛髪用美容剤適用デバイス（１）の中又は上の毛髪用美容組成物を指している。
【００２２】
本明細書は、本発明を詳しく指摘し明確に請求する特許請求の範囲でまとめられるが、本発明は、以下の説明からよりよく理解されるものと考えられる。
【００２３】
１．プレート
本発明の毛髪用美容剤適用デバイス（１）は、第１のプレート（１０）及び第２のプレート（２０）を含み、両方のプレート（１０、２０）が人間工学的サイズであり、ゆえに、いずれの手にも容易に適合することができる。プレートの形状を変更してもよい。矩形、正方形、円形、楕円形、又は長円形は、製造しやすいため有用である場合があるが、他の形状、特に消費者によって容易に認識される形状を使用してもよい。図１に示されるように、前記毛髪用美容剤適用デバイス（１）の各プレート（１０、２０）は、内表面（１０１、２０１）と外表面（１０２、２０２）とを含む。前記第１のプレート及び／又は第２のプレート（１０、２０）の内表面（１０１、２０１）は、前記内表面（１０１、２０１）との視認可能又は触知可能な相違を有する１つ以上の区域を更に含んでもよい。前記視認可能又は触知可能な相違は、色若しくは色合いの相違、パターン、マーキング又はエンボスの相違を含む。
【００２４】
各プレート（１０、２０）の内表面（１０１、２０１）及び外表面（１０２、２０２）は、個々に、平らであっても又は湾曲していてもよく、好ましくは、外表面（１０２、２０２）は湾曲している。各プレート（１０、２０）又はその少なくとも一部分は、１つ以上の空洞、好ましくは１つ以上の凹面状の空洞又は１つ以上のＶ字形溝、Ｕ字形溝又はこれらの組み合わせを含んでもよい。前記空洞又は溝は、個々に、いずれか又は両方のプレート（１０、２０）の内表面（１０１、２０１）又は外表面（１０２、２０２）の上に配置されてもよい。各プレート（１０、２０）は、同一又は異なるサイズ及び形状のものとしてもよい。
【００２５】
各プレート（１０、２０）は、個々に、毛髪用美容組成物を支持可能な、任意の既知の材料又は材料の組み合わせから製造されてもよい。好適な材料は、ポリオレフィン、例えばポリプロピレン、ポリエチレン又はポリエチレンテレフタレートのようなポリマー樹脂である。使用できる他の材料としては、ポリ塩化ビニル、ポリアミド、アセチル、アクリロニトリルブタジエンスチレン、アクリル、アクリロニトリルスチレンアクリレート、エチレンビニルアルコール、ポリカーボネート、ポリスチレン、シリコーン若しくは熱可塑性エラストマー、適切な場合熱可塑性バルカネート（vulcanate）若しくはコポリマー、可撓性のある柔軟な基材、例えば板紙、金属系の基材及びアルミニウム箔、フィルム状基材、又は前記材料の多数の積層若しくは多数の層の組み合わせが挙げられる。
【００２６】
２．接合部
第１のプレート（１０）及び第２のプレート（２０）を連結するための連結部（３０）の選択は、毛髪用美容剤適用デバイス（１）の制御についてのユーザーの認識を改善し、ユーザーが片手を用いて正確及び容易に毛髪用美容剤適用デバイス（１）を誘導できるようにし、また後頭部又は頭皮に近い毛髪など、届きにくい部分へのアクセスを可能にする。更に、連結部（３０）によって、ユーザーは、それぞれの適用後に第２のプレート（２０）上の第１のプレート（１０）の位置を調整する必要なしに、ある毛髪ストランドの束から別の毛髪ストランドの束へと毛髪用美容剤適用デバイス（１）を動かすことができるようになる。
【００２７】
本発明による２枚のプレート（１０、２０）間の連結部（３０）は、毛髪用美容剤適用デバイス（１）を閉状態又は開状態にすることができる。毛髪用美容剤適用デバイス（１）が閉状態にある場合、前記第１のプレート（１０）は前記第２のプレート（２０）と重ねられた関係にあり、毛髪用美容剤適用デバイス（１）が開状態にある場合、前記第１のプレート及び第２のプレート（１０、２０）の前記内表面（１０１、２０１）間の角度は、５°〜３６０°の範囲であってもよい。連結部（３０）の特徴は、連結部を製造するために使用される材料の固有の特性とすることもでき、又は連結部自体の設計によってもたらすこともできる。連結部（３０）は、いくつかの用途内での有用性に影響を与えるように破損する又は損傷を受けるべきではない。
【００２８】
３．流体収容手段、流体収容領域及び流体制御手段
流体収容手段（４０）は、前記第１のプレート（１０）の内表面（１０１）から上方に延出して、前記流体収容手段の内表面（４０１）及び外表面（４０２）を提供する。収納手段の内表面（４０１）及び前記第１のプレート（１０）の内表面（１０１）は、毛髪用美容組成物を充填することができるプレートの前記内表面（１０１）の一部分を限定するので、デバイス（１）内に毛髪用美容組成物を収容するための手段を適用デバイス（１）に提供する。流体収容手段（４０）によって限定されるこの部分は、流体収容領域（１０４）である。これに加え、流体収容手段（４０）は、毛髪用美容剤又はその一部を適用するために充填されるべき毛髪用美容組成物の量を示すことによって、ユーザーを助けることができる。
【００２９】
流体制御手段（５０）は、全ての図に示されるように、前記第２のプレート（２０）の内表面（２０１）から上方に延出している。流体制御手段（５０）は、前記適用デバイス（１）が閉状態にあるときに流体収容手段（４０）に面する内側部と、外側部（５５）とを含む。流体制御手段（５０）は、毛髪用美容組成物の適用中の扱いにくさを回避するための優れた手段を備える毛髪用美容剤適用デバイス（１）を提供し、毛髪用美容剤適用デバイス（１）が閉状態になったときに、プレート（１０、２０）の周縁部（１０３、２０３）に毛髪用美容組成物の小塊又は滴が形成されるのを防止する。小塊は、毛髪、特に根元近くの毛髪への過剰な量の毛髪用美容組成物の付着を引き起こし得る。毛髪用美容組成物の小塊はまた、他の毛髪ストランドを通って流れて、隣接するストランドに許容できない及び不体裁な適用を引き起こす場合がある。他の毛髪ストランドを通って流れることに付随して、毛髪用美容組成物が頭皮に達した場合には皮膚がかぶれる場合もある。
【００３０】
流体収容手段（４０）及び流体制御手段（５０）は、個々に、多孔質の圧縮性材料、多孔質の非圧縮性材料、非多孔質の圧縮性材料、非多孔質の非圧縮性材料、又はこれらの組み合わせから選択される材料を含んでもよい。収容手段（４０）は、多孔質の圧縮性材料、非多孔質の圧縮性材料、櫛状歯部、刷毛、又はこれらの混合体から選択される材料を含む。更に、流体収容手段（４０）及び流体制御手段（５０）は、単独で又は上記材料と組み合わされて用いられる櫛状歯部又は刷毛を含んでもよい。図３は本発明による実施形態を示し、流体収容手段（４０）は、前記第１のプレート（１０）の内表面（１０１）上に環状に分布した一群の櫛状歯部で形成されており、櫛状歯部の前記環状分布は、流体収容手段（４０）の前記内表面（４０１）及び外表面（４０２）を提供し、これにより前記第１のプレート（１０）の前記内表面（１０１）上の流体収容領域（１０４）を限定している。図４は、本発明による別の実施形態を示し、流体制御手段（５０）は、前記第２のプレート（２０）の周縁部（２０３）に環を形成するように編成された刷毛の束を含むのを特徴とする。
【００３１】
第１のプレート（１０）及び第２のプレート（２０）の内表面（１０１、２０１）上の長さ及び幅を用いて、流体収容手段（４０）及び流体制御手段（５０）を説明することができる。長さは、対応の内表面（１０１、２０１）と接触している流体収容手段（４０）の外表面（４０２）又は流体制御手段（５０）の外側部（５５）の距離を指す。流体収容手段（４０）及び流体制御手段（５０）のいずれかが、刷毛若しくは櫛状歯部の形態、又は分離した島形状である実施形態では、長さは、プレートの対応の内表面（１０１、２０１）と接触している外側部（５５）又は外表面（４０２）の周りの最短連続距離として測定される。流体収容手段（４０）及び流体制御手段（５０）は、約１ｃｍ〜約８０ｃｍ、好ましくは約３ｃｍ〜約５０ｃｍ、及びより好ましくは約６ｃｍ〜約３０ｃｍの長さを有してもよい。幅は、流体収容手段（４０）の内表面と外表面（４０１、４０２）との間、並びに流体制御手段（５０）の外側部（５５）と内側部との間の距離を指す。この幅は、ほぼ一定又は可変であってもよい。幅がほぼ一定である実施形態では、流体収容手段（４０）及び流体制御手段（５０）は連続的であり、前記流体収容手段（４０）及び流体制御手段（５０）は、約０．０５ｃｍ〜約４．００ｃｍ、好ましくは約０．１０ｃｍ〜約３．００ｃｍ、より好ましくは約０．５０ｃｍ〜約２．５０ｃｍの幅を有する。例えば櫛状歯部若しくは刷毛、又は収容手段（４０）若しくは制御手段（５０）の場合のように幅が可変である実施形態では、幅は、材料のない領域の０．００ｃｍ〜約４．００ｃｍ、好ましくは約０．００ｃｍ〜約３．００ｃｍ、より好ましくは約０．００ｃｍ〜約２．５０ｃｍの範囲であってもよい。収容手段（４０）及び制御手段（５０）の周囲の少なくとも１つの領域は、少なくとも０．０５ｃｍの幅を有する。
【００３２】
特定の実施形態では、図１に示される前記流体制御手段（５０）の外側部（５５）は、不浸透性膜を更に含んでもよい。特定の実施形態では、流体収容手段（４０）及び流体制御手段（５０）は共に、非多孔質の圧縮性材料の連続帯状体である。特定の好ましい実施形態では、流体収容手段（４０）及び流体制御手段（５０）は共に、多孔質の圧縮性材料の連続帯状体である。好ましくは、前記多孔質の圧縮性材料は、１枚以上の不織布、１つ以上の発泡体又は１枚以上の不織布と１つ以上の発泡体の組み合わせである。
【００３３】
連結部（３０）を中心に前記第１のプレート（１０）及び第２のプレート（２０）を旋回させることによって、これらが重ねられた関係であり、毛髪用美容剤適用デバイス（１）が閉状態にあるとき、流体制御手段（５０）は流体収容手段（４０）を包囲する。特定の実施形態では、流体収容手段（４０）は流体制御手段（５０）から空間的に分離されており、特定の他の実施形態では、流体収容手段（４０）は流体制御手段（５０）と実質的に隣接している。
【００３４】
特定の実施形態では、前記第１のプレート（１０）の周縁部（１０３）と流体制御手段（１０４）との間のスペースは、以下に記載される追加の特徴に適応してもよい。特定の好ましい実施形態では、流体制御手段（５０）は、前記第２のプレート（２０）の前記周縁部（２０３）に実質的に沿って延び、又は図２に示されるように、前記第２のプレート（２０）の前記周縁部（２０３）に実質的に隣接する。
【００３５】
前記流体収容手段（４０）、流体制御手段（５０）及び流体収容領域（１０４）に適した多孔質の圧縮性又は非圧縮性材料は、不織布、織布、多孔質発泡体及び発泡材料、多孔質プラスチック、可撓性フリット（flexible frits）、メッシュ、スポンジ、並びに構造が上述の機能的要件を満たすことを条件として、物理的に重ね合わされた、不連続パターンで連続的に接合された（積層された）、又は別個の場所（loci）で外縁部を結合することによって接合された、同一又は異なる材料の１つ以上の層（plie）を有する再生材料及び複合材料を含めた、これらの組み合わせから選択されてもよい。
【００３６】
有用な非多孔質の圧縮性材料は、シリコーン若しくは天然及び合成ゴム、熱可塑性エラストマー、熱可塑性バルカネート（vulcanate）若しくはコポリマー、又はその他の好適な可撓性熱可塑性材料、例えば、ポリオレフィン、ポリ塩化ビニリデン及びポリスチレンを含む。その他の好適な例には、エチレン−プロピレンジエンモノマーゴム、ハロゲン化ポリオレフィン、無水マレイン酸によるスチレン−ブタジエンブロックコポリマーの水素添加付加物、ＳＥＢＳ（シーケンスド（sequenced）スチレン−エチレン−ブタジエン）ポリマーが挙げられるが、これらに限定されない。
【００３７】
好適な非多孔質の非圧縮性材料には、その他のポリマーグレードのポリオレフィン（例えばポリエチレン、又はポリプロピレン）を挙げることができる。ポリ塩化ビニル、ポリアミド、アセチル、アクリロニトリルブタジエンスチレン、アクリル、アクリロニトリルスチレンアクリレート、エチレンビニルアルコール、ポリカーボネート、ポリスチレン、又はコポリマーを包含する、他のポリマーを使用することができる。
【００３８】
櫛状歯部に好適な材料には、本明細書においてプレートの製造に関して記載されるもののようなポリマーが挙げられる。
【００３９】
刷毛に好適な材料には、本明細書においてプレートの製造に関して記載されるもののようなポリマーが挙げられる。必要とされる性能を達成するために、刷毛又はブラシの線形状は、まっすぐであっても、湾曲していても、けん縮されていてもよい。
【００４０】
上述の材料は、共射出されることも、オーバーモールドされることも、インモールドアセンブルされることも、又は接着積層や熱結合によって取り付けることもでき、それらは、取り外し可能であっても、又は永久的に取り付けられてもよい。これらの材料を毛髪用美容剤適用デバイス（１）の内表面（１０１、２０１）に取り付けるのに適した任意の方法を、前記方法が前記材料の性能を損なわないこと又は変化させないことを条件として、本明細書で使用することができる。
【００４１】
不浸透性膜に好適な材料としては、本明細書においてプレートの製造に関して記載されるもののようなポリマー、及びシールされた不織布又はシールされた発泡体構造が挙げられる。
【００４２】
４．付加的な機構
本発明による必須特徴と組み合わせるのに有用ないくつかの追加特徴の詳細な説明を、以下に提供する。これらの追加特徴は、所望により、前記第１のプレート（１０）及び第２のプレート（２０）の内表面（１０１、２０１）又は外表面（１０２、２０２）上に配置してもよい。好ましくは、これらの特徴のいくつかは、前記プレート（１０、２０）の内表面（１０１、２０１）上に配置されてもよく、前記プレート（１０、２０）が重ねられた関係である場合は、前記流体収容手段（４０）と流体制御手段（５０）との間に挿入されてもよい。また、本発明の範囲内で、同一の毛髪用美容剤適用デバイス（１）内での後述する追加特徴の組み合わせも考えられる。
【００４３】
４．１リザーバ
毛髪用美容剤適用デバイス（１）は、毛髪用美容組成物用のためのリザーバを更に含んでもよく、前記リザーバは前記流体収容領域（１０４）と連通する。リザーバは、第１のプレート（１０）の外表面又は内表面（１０１、１０２）の上に存在してよい。好ましくは、リザーバは、前記プレート（１０）を貫いて配置された開口を介して内表面（１０１）内の前記流体収容領域（１０４）と連通する。リザーバ上に弁を配置してもよい。リザーバは、固定式とすることも、プレート（１０）に取り付け可能としても、又はプレート（１０）から取り外し可能としてもよく、毛髪用美容組成物が放出された後で処分されてもよい。
【００４４】
４．２停止機構
１つ以上の停止機構を、前記第１のプレート及び第２のプレート（１０、２０）の内表面（１０１、２０１）のうちの少なくとも１つの上に組み込んでもよい。停止機構は、毛髪用美容組成物が前記第１のプレート及び第２のプレート（１０、２０）の周縁部（１０３、２０３）を超えて押し出されることがないことを確実にする。特定の実施形態では、毛髪用美容剤適用デバイス（１）は、プレート（１０、２０）の外表面（１０２、２０２）上に圧力を加えることによって閉状態におかれる。第１のプレート及び第２のプレート（１０、２０）を重ねられた関係におくために、前記第１のプレート及び第２のプレート（１０、２０）の外表面（１０２、２０２）にあまりにも高い圧力が加えられるときには、毛髪用美容組成物は、毛髪用美容剤適用デバイス（１）から流出するおそれがあり、又は小塊を形成して、許容できない扱いにくさをまねくおそれがある。あまりにも高い圧力は、存在する場合、前記流体収容手段（４０）、流体制御手段（５０）、流体収容領域（１０４）内に含まれる材料に損傷を引き起こすこすおそれさえあり、毛髪への毛髪用美容組成物の適用に影響を与える。
【００４５】
４．３毛髪ストランド選択手段
消費者は、毛髪用美容組成物を適用したいと望む毛髪ストランドを、自分の指を使って選択してもよい。ただし、本発明の毛髪用美容剤適用デバイス（１）は、毛髪ストランド選択手段を更に備えてもよい。毛髪ストランドの選択手段の例は、これに限定されるものではないが、スパイク、フック、鉤針、クリップ又はビーズである。一方又は両方のプレート（１０、２０）に、毛髪ストランドの選択手段が組み込まれてもよい。前記手段はまた、スナップ機構を通じてプレート（１０、２０）に取り付けられてもよく、それによって、毛髪ストランドの選択手段が、ペンナイフのブレードで起きるように、プレートの近位にある位置から遠位にある位置まで旋回し得るようになっている。毛髪ストランド選択手段はまた、後述するように部品キットの構成要素として本発明の毛髪用美容剤適用デバイス（１）に別個に設けられてもよい。
【００４６】
４．４把持領域
通常、消費者は、毛髪用美容組成物の適用中に手袋を着用する。手袋は、典型的には、ポリ塩化ビニル若しくはポリエチレンなどの材料、又はイソプレン、ニオプレン（nyoprene）、若しくはラテックスなどのゴム材料から作製され、消費者が毛髪用美容剤適用デバイス（１）を掴持する難しさを高めることがある。ゆえに、本明細書に開示の毛髪用美容剤適用デバイス（１）は、一方又は両方のプレート（１０、２０）の外表面（１０２、２０２）上に、掴持をもたらすように設計された掴持区域を更に含んでもよい。
【００４７】
５．使用方法
本発明はまた、毛髪と、本発明による毛髪用美容剤適用デバイス（１）とを接触させることによる毛髪の処理方法に関する。前記毛髪用美容剤適用デバイス（１）は、１つ以上の毛髪用美容組成物を予め充填していてもよいが、好ましくは、毛髪と前記毛髪用美容剤適用デバイス（１）とを接触させる前に、ユーザーが前記毛髪用美容剤適用デバイス（１）に前記少なくとも１つ以上の毛髪用美容組成物を充填する。
【００４８】
任意の手段で毛髪用美容組成物を適用デバイス（１）上に充填することができる。一実施形態では、毛髪用美容組成物は、例えばスパチュラ、シリンジを用いて、押し潰し可能なチューブによって、又は分配ボトルによって毛髪用美容組成物を適用することにより、流体収容領域（１０４）の上に直接充填される。任意のリザーバが存在するときには、毛髪用美容組成物は、一方向弁又は二方向弁を通じて前記リザーバ内に充填されてもよい。
【００４９】
毛髪用美容組成物が毛髪への適用前に混合及び活性化を必要とするときには、毛髪用美容組成物の成分は、充填前に振盪若しくは撹拌によって混合されてもよく、又は静的ミキサーと連結された専用の２つのチャンバの容器又は複数チャンバの容器を用いることによって充填手順の間に混合されてもよい。混合はまた、２つ以上の毛髪用美容組成物を混合すること、又は粉末を水若しくは他の溶媒と混合して毛髪用美容組成物を作製することができる、追加の手段を介在させることによって行われてもよい。前記介在手段はまた、混合された毛髪用美容組成物を毛髪用美容剤適用デバイス（１）上に注入又は充填するための特徴を備えることができる。
【００５０】
適用前に２つ以上の毛髪用美容組成物を混合する必要がある場合、前記２つ以上の毛髪用美容組成物は、一緒に又は順を追って前記流体収容領域（１０４）の中に充填される。
【００５１】
複数の又は順を追って行われる充填は、適用デバイス（１）をトレイの中に位置決めすること、又は必要とされる毛髪用美容組成物の単一量若しくは全量のいずれかを分配することのできる複数チャンバのボトル、チューブ、又は他のアプリケータに適用デバイス（１）を接続する若しくは取り付けることによって、達成され得る。
【００５２】
適用デバイス（１）上に充填される毛髪用美容組成物の量は、そのサイズ及び容量並びに所望の最終結果によって決まる。
【００５３】
毛髪用美容剤適用デバイス（１）に少なくとも１つの毛髪用美容組成物が充填されると、毛髪用美容剤適用デバイス（１）を毛髪に接触させてこの毛髪用美容組成物を供給する。ユーザーは、片手で、好ましくは親指と人差し指との間で、前記第１のプレート及び第２のプレート（１０、２０）の外表面（１０２、２０２）を通じて毛髪用美容剤適用デバイス（１）を保持する。いったんユーザーが処理されるべき毛髪ストランドを選択すると、毛髪用美容剤適用デバイス（１）は、毛髪用美容剤適用デバイス（１）が開状態にある状態で、好ましくは根元ラインのところで、毛髪ストランド上に位置決めされる。次いで、適用デバイス（１）の内表面（１０１、２０１）は、プレート（１０、２０）を重ねられた関係におくことにより、毛髪ストランドの周りでクランプ固定される。毛髪用美容剤適用デバイス（１）をこの閉状態に保つことにより、ユーザーは、選択された毛髪ストランドの全長に沿って毛髪用美容剤適用デバイス（１）を通すことにより、毛髪用美容組成物を適用する。また、毛髪の限られた領域のみに毛髪用美容組成物を適用すること、即ち、ユーザーは、毛髪用美容組成物で根元ラインのみをコーティングすることもできる。上記のような適用デバイス（１）の充填工程を含むこれらの工程を２回以上繰り返してもよい。
【００５４】
毛髪用美容剤適用デバイス（１）が１つ以上の毛髪用美容組成物で充填された時点で毛髪を毛髪用美容剤適用デバイス（１）と接触させることにより、毛髪用美容組成物が毛髪に供給される。
【００５５】
好ましい実施形態では、前記１つ以上の毛髪用美容組成物は、第１の毛髪用美容組成物及び第２の毛髪用美容組成物を含み、前記第１の毛髪用美容組成物及び第２の毛髪用美容組成物は、混合されて第３の毛髪用美容組成物を形成する。前記第３の毛髪用美容組成物は、毛髪と前記毛髪用美容剤適用デバイス（１）とを接触させる前に、前記毛髪用美容剤適用デバイス（１）上に充填される。この好ましい実施形態では、前記第１の毛髪用美容組成物は酸化剤を含み、前記第２の毛髪用美容組成物はアルカリ化剤及び過硫酸塩を含む。最も好ましい実施形態では、前記酸化剤は過酸化水素を含み、前記アルカリ化剤は、メタケイ酸ナトリウム、ケイ酸ナトリウム（solidum silicate）、塩化アンモニウム、及びこれらの混合物から選択される成分を含む。前記第１の毛髪用美容組成物及び第２の毛髪用美容組成物が混合されると、それらはハイライト処理組成物を形成する。
【００５６】
本発明による毛髪用美容組成物は、固定された方式で毛髪に適用されることは意図されておらず、むしろ、剪断力を用いて毛髪表面に当てて動かされる。即ち、個別の毛髪ストランドに通す、根元ラインに沿って塗る、毛髪に塗り込む、毛髪の表面を拭く、毛髪から引き抜くなどであり、それにより、必要に応じて毛髪の全長に沿って均一に毛髪用美容組成物を付着させる。
【００５７】
特定の実施形態では、第１の毛髪用美容組成物は、本発明による毛髪用美容剤適用デバイス（１）によって適用できる第２の任意の更なる毛髪用美容組成物の前処理又は後処理として、既知の従来の方法のいずれかによって毛髪に適用される。
【００５８】
最後に、毛髪用美容組成物の適用は、ぬれた状態又は乾燥した状態の毛髪上で発生してもよく、任意に、第１の組成物及び第２の組成物を毛髪へ適用する間に、リンス又はシャンプー工程を含めることができる。
【００５９】
６．部品キット
本発明による毛髪用美容剤適用デバイス（１）は、部品キットの構成要素として提供されてもよい。本発明による部品キットはまた、２つ以上の毛髪用美容剤適用デバイス（１）を更に含んでもよい。更に、部品キットは、シャンプー組成物、コンディショニング組成物、スタイリング組成物、毛髪着色剤組成物、毛髪漂白、ハイライト組成物、又はこれらの組み合わせを含む、少なくとも１つ以上の個別に包装された毛髪用美容組成物を含んでよい。
【００６０】
本発明の一実施形態では、第１の個別に包装された毛髪用美容組成物は、酸化染料前駆体及びアルカリ化剤を含んでもよく、第２の個別に包装された毛髪用美容組成物は酸化剤を含んでもよい。本発明の好ましい実施形態では、部品キットは、酸化剤を含む個別に包装された組成物と、アルカリ化剤を含む個別に包装された組成物とを更に含む。好ましくは前記酸化剤は、過酸化水素である。より好ましくは、前記個別に包装された毛髪用美容組成物の少なくとも１つが過硫酸塩を含む。
【００６１】
追加の個別に包装された毛髪用美容組成物は部品キットの中に存在していてもよく、酸化剤、コンディショナー、キレート剤、ラジカルスカベンジャー、溶媒、直接染料、シャンプー、緩衝剤、着色剤、増粘剤、酵素、アニオン性、非イオン性、両性、及びカチオン性界面活性剤、キャリア、酸化防止剤、安定剤、香料、マスキング芳香剤、ハーブ及び植物抽出物、真珠光沢剤（pearlescent）、不透明化剤、毛髪膨張剤及び／若しくはポリマー、保湿剤、湿潤剤、粘度増大剤、ゲル化剤、キレート化剤、ＵＶフィルタ、抗菌剤、防腐剤、タンパク質、又はこれらの混合物などの成分を含んでいてもよい。
【００６２】
本発明による部品キットは、毛髪ストランドを選択するための手段、本発明による適用デバイス（１）に充填するための手段、前記個別に包装された毛髪用美容組成物を混合及び／若しくは充填するための手段、櫛若しくはブラシ、手袋、穴付きキャップ、ピンセット、トング、フック、又はこれらの組み合わせのような、追加の構成要素を更に含んでよい。
【００６３】
７．毛髪用美容組成物
本発明による毛髪用美容剤適用デバイス（１）の中に充填され得る毛髪用美容組成物の例は、毛髪ストランド効果を作り出す際に使用されることが知られている、作り出す際に従来使用される、ないしは使用が他の何らかの形で有効な成分、例えば酸化漂白組成物及び毛髪着色組成物などを含む毛髪用美容組成物である。  本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示された寸法は、「約４０ｍｍ」を意味することを意図する。
【図１】
2012506294.tif 000003
【図２】
2012506294.tif 000004
【図３】
2012506294.tif 000005
【図４】
2012506294.tif 000006
【図５】
2012506294.tif 000007
【国際調査報告】
2012506294.tif 000008
2012506294.tif 000009
2012506294.tif 000010